(57)【要約】【課題】画質パラメータ変更に伴う効果が視覚的に分かり易いテストパターンをＯＳＤに重畳して表示することにより、最適な画質パラメータ設定を容易に行える画像表示装置を提供する。【解決手段】入力デジタル信号又はアナログデジタル変換１４した入力アナログ信号であるテレビ放送画像又はビデオ画像のＹＣｂＣｒ信号をＲＧＢ信号に変換し、必要に応じて機器設定画像を併せて表示パネルに表示する画像表示装置において、機器設定画面信号をＹＣｂＣｒ信号として生成するＯＳＤジェネレータ部１８と、生成した機器設定画像信号を、テレビ放送画像又はビデオ画像のＹＣｂＣｒ信号に重畳した重畳信号を映像処理する映像処理部１５とを備える。テストパターン画像を保持するメモリ部１９を備え、機器設定画面信号をテストパターン画像信号に重畳し映像処理される。【選択図】図１
2008035306.tif 000002
【特許請求の範囲】
【請求項１】
入力デジタル信号又はアナログデジタル変換した入力アナログ信号であるテレビ放送画像又はビデオ画像のＹＣｂＣｒ信号をＲＧＢ信号に変換し、必要に応じて機器設定画像を併せて表示パネルに表示する画像表示装置において、
機器設定画面信号をＹＣｂＣｒ信号として生成するＯＳＤジェネレータ部と、生成した機器設定画像信号を、前記テレビ放送画像又はビデオ画像のＹＣｂＣｒ信号に重畳した重畳信号を映像処理する映像処理部とを備えることを特徴とする画像表示装置。
【請求項２】
テストパターン画像を保持するメモリ部を備え、前記機器設定画面信号をテストパターン画像信号に重畳した重畳信号が映像処理される請求項１記載の画像表示装置。
【請求項３】
前記メモリ部は、映像調整のモード別のテストパターン画像信号を保持する請求項２記載の画像表示装置。
【請求項４】
ユーザーの操作により、機器設定画像を表示し、映像調整の指示を受けて、前記映像処理部は映像調整の処理を行う請求項１記載の画像表示装置。
【発明の詳細な説明】
【技術分野】
【０００１】
本発明は、画像表示装置に関し、特にユーザーの映像調整を可能とする画像表示装置に関する。
【背景技術】
【０００２】
従来、表示デバイス上にテストパターンを表示し、その一部領域は前段からの映像信号がそのまま表示されるようにした映像表示装置が知られている（特許文献１参照）が、調整にはテストパターンのみ表示され、自然画像を同時に見ることができない。また、ＯＳＤとテストパターンを調整時に効率よく切り換える方法が提案されているが（特許文献２参照）、調整にはテストパターンのみ表示され、自然画像を同時に見ることができない。また、テレビジョン受像機のＣＲＴの中央に、領域を設定し、リモートコマンダのパッドを指で操作することで得られる位置座標に対応してカーソルを移動させ、カーソルが領域内に位置する状態において、リモートコマンダのスイッチをオンしたとき、ビデオ入力の制御画像、画質調整の制御画像、または音質調整の制御画像に、順次、制御画像を変更させることが特許文献３に開示されているが、画質パラメータ変更に伴う効果が視覚的に易いテストパターンを使用しないので、最適な画質パラメータ設定が難しかった。
【特許文献１】特開２００４−１２５９３８号公報
【特許文献２】特開２００２−３２０１６２号公報
【特許文献３】特開平９−１０７４８９号公報
【発明の開示】
【発明が解決しようとする課題】
【０００３】
本発明は、従来の問題を解決するものであり、画質パラメータ変更に伴う効果が視覚的に分かり易いテストパターンをＯＳＤに重畳して表示することにより、最適な画質パラメータ設定を容易に行える画像表示装置を提供することを目的とする。
【課題を解決するための手段】
【０００４】
本発明は、メモリにカラーバー等のテストパターンを保持し、ユーザーメニューの画質調整時に、パラメータ変更による効果が分かり易いテストパターンを自動でＯＳＤに表示し、ＯＳＤをＹＣｂＣｒ信号にて重畳することで、画質パラメータ変更がＯＳＤにも反映され、効果が分かり易くなり、ユーザーメニューによって画質調整効果が反映される画像表示装置である。
【０００５】
すなわち、本発明は、入力デジタル信号又はアナログデジタル変換した入力アナログ信号であるテレビ放送画像又はビデオ画像のＹＣｂＣｒ信号をＲＧＢ信号に変換し、必要に応じて機器設定画像を併せて表示パネルに表示する画像表示装置において、機器設定画面信号をＹＣｂＣｒ信号として生成するＯＳＤジェネレータ部と、生成した機器設定画像信号を、前記テレビ放送画像又はビデオ画像のＹＣｂＣｒ信号に重畳した重畳信号を映像処理する映像処理部とを備える画像表示装置である。
【０００６】
また、本発明は、テストパターン画像を保持するメモリ部を備え、前記機器設定画面信号をテストパターン画像信号に重畳した重畳信号が映像処理される画像表示装置である。
【０００７】
そして、本発明は、前記メモリ部は、映像調整のモード別のテストパターン画像信号を保持する画像表示装置である。
【０００８】
更に、本発明は、ユーザーの操作により、機器設定画像を表示し、映像調整の指示を受けて、前記映像処理部は映像調整の処理を行う画像表示装置である。
【発明の効果】
【０００９】
本発明によれば、パラメータ変更の効果の分かり易いテストパターンが自動表示され、調整手順が増えることなく効果が分かり易くなり、同時に自然画像とテストパターンで効果を確認できる画像表示装置を提供することができる。
【発明を実施するための最良の形態】
【００１０】
本発明を実施するための最良の形態を説明する。
本発明の画像表示装置の実施例について、図面を用いて説明する。
【００１１】
実施例を説明する。本実施例の画像表示装置は、図１に示すように、チューナー部１１、ビデオ入力部１２、ＡＶセレクタ部１３、ＡＤ変換部１４、映像処理部１５、ＲＧＢプロセッサ部１６、ＬＣＤ（液晶表示装置）１７、ＯＳＤジェネレータ部１８、メモリ部１９、マイコン部２０を備えている。アンテナから受信した放送信号は、チューナー部１１で抽出され、ＡＶセレクタ１３に入力される。ビデオ入力部１２から入力されたビデオ信号は、ＡＶセレクタ１３に入力される。入力された放送信号又はビデオ信号は、ＡＶセレクタ１３で選択され、ＡＤ変換部１４に入力される。ＡＤ変換部１４は、アナログ信号をデジタル信号に変換してＹＣｂＣｒ信号を出力する。ＡＤ変換部１４から出力されたＹＣｂＣｒ信号に、ＯＳＤジェネレータ部１８からのオンスクリーンディプレイ（ＯＳＤ）情報のＹＣｂＣｒ信号が重畳され、映像処理部１５に入力される。映像処理部１５は、重畳されたＹＣｂＣｒ信号に対して、映像の調整、例えば明るさ、黒レベル、色の濃さ、色あい、エンハンス（画像強調）、コントラストなどを行う。ＲＧＢプロセッサ部１６は、映像処理部１５で映像調整されたＹＣｂＣｒ信号を、ＲＧＢ信号に変換し、表示信号としてＬＣＤ１７に出力する。ＯＳＤジェネレータ部１８は、ＯＳＤ情報のＹＣｂＣＲ信号を生成する。メモリ部１９は、カラーバー等のテストパターン画像、ＯＳＤパターン画像等を保持している。テストパターンは、工場で生産調整工程や試験調整等で用いる具体的なテストチャート（色相調整に使用するカラーバーチャートや黒レベルや解像度調整に使用するモノスコパターン（白〜灰色〜黒））である。色相調整時と黒レベル調整時のような映像調整のモード別にそれぞれのモードに応じた種類のテストパターンからなる。マイコン部２０は、装置全体の制御を行い、リモコン送信機２１を操作したユーザーの映像調整の指示を受取り、映像処理部１５、ＯＳＤジェネレータ部１８、メモリ部１９に対し、受取った映像調整指示に適した指令を出す。
【００１２】
本実施例の画像表示装置における映像調整の一例について、図２〜図４を用いて説明する。図２（ａ）（ｂ）は色の濃さの映像調整の例であり、ユーザーは、表示画面のＯＳＤ表示部分を見て、色の濃さを選択して指示することができ、自分が指示した色の濃さの値が数字とバー表示で行われるので、選択することや確認することが容易である。また、図３（ａ）（ｂ）は黒レベルの映像調整の例であり、ユーザーは、黒レベルを選択して指示することができ、自分が指示した黒レベルの値が数字とバー表示で行われるので、選択することや確認することが容易である。図４は、エンハンス（画像強調）の映像調整の例であり、ユーザーは、表示画面のＯＳＤ表示部分を見て、エンハンスを選択して指示することができ、自分が指示したエンハンスが画面表示されるので、確認すること等が容易である。
【００１３】
本実施例の画像表示装置における映像調整処理の手順の一例について、図５を用いて説明する。まず、スタートし、ユーザーの指示を待機し、ユーザーがメニューキーを押すと、メニューを表示する（Ｓ１０１）。次に、ユーザーがメニューより映像調整項目を選択すると（Ｓ１０２）、メモリより調整項目に応じたパターンを呼び出し、ＯＳＤ表示する（Ｓ１０３）。ユーザーがメニューより画像調整項目変更を指示したか判断し（Ｓ１０４）、画像調整項目変更であると、ステップＳ１０３に戻り、画像調整項目変更ではないと画質調整メニュー表示の終了であるか判断し（Ｓ１０５）、終了ではないとステップＳ１０４に戻り、終了であると終了処理を行う。このようにして、画像調整処理を行うことができる。
【００１４】
以上実施例で説明したが、本発明の画像表示装置は、メモリにカラーバー等のテストパターンを保持しており、ユーザーメニューの画質調整時に、パラメータ変更による効果が分かり易いテストパターンを自動でＯＳＤに表示することができる。また、ＯＳＤをＹＣｂＣｒ信号にて重畳することで画質パラメータ変更がＯＳＤにも反映され、効果が分かり易くなる。従来は、ＯＳＤはＲＧＢ信号に重畳されていたが、本方式ではＹＣｂＣｒ信号に重畳され、ユーザーメニューによって画質調整効果が反映される。
【図面の簡単な説明】
【００１５】
【図１】実施例の画像表示装置のブロック図。
【図２】実施例の画像表示装置における映像調整の適用例１の説明図。
【図３】実施例の画像表示装置における映像調整の適用例２の説明図。
【図４】実施例の画像表示装置における映像調整の適用例３の説明図。
【図５】実施例の画像表示装置における画像調整処理の手順の一例の説明図。
【符号の説明】
【００１６】
１１  チューナー部
１２  ビデオ入力部
１３  ＡＶセレクタ部
１４  ＡＤ変換部
１５  映像処理部
１６  ＲＧＢプロセッサ部
１７ＬＣＤ
１８  ＯＳＤジェネレータ部
１９  メモリ部
２０  マイコン部
２１  リモコン送信機
【図１】
2008035306.tif 000003
【図２】
2008035306.tif 000004
【図３】
2008035306.tif 000005
【図４】
2008035306.tif 000006
【図５】
2008035306.tif 000007